(57)【要約】【課題】本発明は、植物を育成する基盤に産業廃棄物を利用することにより、人に優しい、自然に優しい緑化パネルを提供することを目的とするものである。【解決手段】上記課題を解決するため、本発明は、枠部材から構成される枠体に網体を取り付けてフレーム枠を形成し、製紙カスを小粒団粒化した材料・フライアッシュを小粒団粒化した材料・肥料・種子および接合材を混合した材料を、該網体の上面にプレス加工したリサイクル緑化パネルとしたものである。【選択図】図２
2005176682.tif 000002
【特許請求の範囲】
【請求項１】
枠部材から構成される枠体に網体を取り付けてフレーム枠を形成し、該網体の上面に、製紙カスを小粒団粒化した材料・フライアッシュを小粒団粒化した材料・肥料・種子および接合材を混合した材料をプレス加工したことを特徴とするリサイクル緑化パネル。
【請求項２】
枠部材および網体は、金属材から成ることを特徴とする請求項１記載のリサイクル緑化パネル。
【請求項３】
金属材による枠部材は、溝形材又はアングル形材等の形材から成ることを特徴とする請求項２記載のリサイクル緑化パネル。
【請求項４】
金属材は、ステンレス材から成ることを特徴とする請求項２又は請求項３記載のリサイクル緑化パネル。
【請求項５】
プレス加工された混合材料の表面に、保水性・集水力を確保する凹凸を形成したことを特徴とする請求項１乃至請求項４の何れか１記載のリサイクル緑化パネル。
【発明の詳細な説明】
【技術分野】
【０００１】
この発明は、ダム・擁壁・橋脚・道路防音壁・道路防御壁・換気塔などの土木構造物、或いは、屋上、屋根、ベランダなどの建築構造物に植裁土壌基盤を提供する、環境保護を目的とした人に優しい、自然に優しいリサイクル緑化パネルに関するものである。
【背景技術】
【０００２】
地球温暖化現象や都市におけるヒートアイランド現象の抑止手段として、最近緑化政策が勧めれられており、植裁土壌基盤を、高速道路等の防音壁、或いは建築構造物の屋根や外壁等に設置するいくつかの技術が提案されている。
例えば、下記に示す特許文献１のように、上枠と下枠と側枠を有するパネル枠と、該パネル枠の表面および裏面に貼設される有孔板と、この一対の有孔板間に充填される通水性と保水性を有する充填材と、一方の有孔板の外面に貼設される植生マットを備え、上枠と下枠の間にパネル内給水パイプが配設された緑化パネルが提案されている。
【０００３】
また、下記に示す特許文献２のように、アルミニウム形材で構成され仕切板を有する枠体に、アルミニウム平板よりなる底板、多孔質成形体ブロックよりなり、透水性及び保水性を有する植裁土壌基盤を収納し、枠体の表面に格子状押さえ材を設置してなり、枠体ににより一体化されている壁面緑化用パネルである。
【０００４】
【特許文献１】特開２００１−３２０９６８号公報
【特許文献２】特開２００２−９７６５３号公報
【発明の開示】
【発明が解決しようとする課題】
【０００５】
上記従来例で示すように、建築構造物、或いは土木構造物の表面に緑化工法を採用して都市におけるヒートアイランド現象の抑止を行っているが、緑化パネルは多種の部材より組み立てられており、又、植物を育成する基盤は、植物繊維や合成繊維の上に培地を敷いたものや、人工土壌成形体や軽量の多孔質成形体ブロック等が使用されていた。
【０００６】
本発明は、植物を育成する基盤に産業廃棄物を利用することにより、人に優しい、自然に優しい緑化パネルを成形することを目的とする。
【課題を解決するための手段】
【０００７】
その具体的構成は、枠部材から構成される枠体に網体を取り付けてフレーム枠を形成し、該網体の上面に、製紙カスを小粒団粒化した材料・フライアッシュを小粒団粒化した材料・肥料・種子および接合材を混合した材料をプレス加工したことを特徴とするリサイクル緑化パネルである。
【０００８】
また、枠体を形成する枠部材、及び網体に、金属材を使用したリサイクル緑化パネルを特徴とする。
【０００９】
更に、金属材による枠部材に、溝形材又はアングル形材等の形材を使用したリサイクル緑化パネルを特徴とする。
【００１０】
また、枠体および網体を形成する金属材に、ステンレス材を使用したリサイクル緑化パネルを特徴とする。
【００１１】
また、プレス加工された混合材料の表面に、保水性・集水力を確保する凹凸を形成したリサイクル緑化パネルを特徴とする。
【発明の効果】
【００１２】
本発明は、リサイクル緑化パネルの、土木・建築構造物等コンクリート壁面への取付施工を、従来行われていた機械による施工に代えて、人力にて施工を行うことができるようになった。
【００１３】
また、フレーム枠に取り付けられる緑化基盤材は、小団粒化と二次中団粒化処理により通水性が確保され、植物の高温障害と劣化防止が可能となった。
【００１４】
更に、緑化基盤材にフライアッシュを使用したことにより、緑化基盤材の風化による風食等が防止でき、長期に渡り緑化基盤材の劣化を防止できるようになった。
【００１５】
また、リサイクル緑化パネルの大規模にわたる施工により、都市部のヒートアイランド現象を防止することが可能になった。
【００１６】
更に、リサイクル緑化パネルによる緑化面積の増加により昆虫の増加が見込まれ、自然環境の復元にも期待が持てる。
【００１７】
また、リサイクル緑化パネルを、ツル性植物（ツタ類）の活着基盤としても活用することができる。
【発明を実施するための最良の形態】
【００１８】
小構造物、或いは土木・建築構造物等の壁面でも、施工機械を使用することなく、人力により施工は対応可能であり、強度と保水性を備えた、植物に優しい、環境に優しい緑化パネルとする目的を、産業廃棄物の有効利用により実現した。
【実施例１】
【００１９】
本発明のリサイクル緑化パネルについて具体的な実施形態を述べる。
図１ａは、リサイクル緑化パネルＰの枠体を形成する枠部材を分解した斜視図が示されており、枠体を形成する枠部材１、２は、網体３を取り付ける水平材１ａ、２ａと、該水平材１ａ、２ａの一方の長側辺から直角に立ち上がる垂直材１ｂ、２ｂからなるアングル形材からなり、該枠部材１、２の端部同士を突き合わせ結合することにより枠体が形成される。
該枠部材１、２の材料として金属材を使用し、耐腐食・耐久性等を考慮するとステンレス材が好ましい。
【００２０】
図１ｂは、上記したアングル形材からなる枠部材１、２同士をそれぞれ突き合わせ、溶接、或いは、ボルト・ナット等で結合した枠体を示す斜視図が示されている。
枠体を形成する枠部材１、２の水平材１ａ，２ａに、載置される金属材からなる網体３を固定するため、また、該枠体を壁面や法面等７に固定するため、所定の間隔でボルト挿通孔４が設けられる。
【００２１】
図１ｃは、上記したアングル形材からなる枠部材１，２の水平材１ａ、２ａに載置した後固定される金属材からなる網体３を示す斜視図である。
該網体３を形成する金属材には、耐腐食、耐久性等を考慮してステンレス材が使用されるが、樹脂材を用いてもよい。
アングル形材からなる枠部材１、２の水平材１ａ、２ａに、上記した網体３を載置し、溶接又はボルト・ナット等の接合手段により枠体と網体３を一体にすることによりフレーム枠が形成される。
【００２２】
図１ｄは、製紙カスを小粒団粒化した材料、火力発電所から出る石炭灰、フライアッシュを小粒団粒化した材料、肥料、種子および接合剤（「高分子系のり」）を混合再団粒化した材料５を、フレーム枠を構成する網体３上面にプレス加工した後乾燥することにより成形した、リサイクル緑化パネルＰの断面図が示されている。
【００２３】
リサイクル緑化パネルＰは、保水性・集水力を確保するため、その表面に鋸歯状の凹凸６を設け、例えば、突出部が２〜３ｍｍある水平部を形成する。小粒団粒化された製紙カスは、保水力の確保と将来の養分であり、製紙カス粒とフライアッシュ粒との混合バランス（配合比率の変更）により、比重１：１〜１：１．５程度にするのが好ましい。
標準配合は、製紙カス  １：フライアッシュ  １：  種子・肥料は微量とする。  
【００２４】
リサイクル緑化パネルＰの基本構造は、施工作業において一人で設置できる大きさと重量を基本とし、その形状も矩形に限定されるものではなく、三角形状、円形状等使用目的により自由に施工できる形状が好ましく、屋上の水平部、屋根等の斜面部、壁面の鉛直部での設置が可能な構造であれば良い。
【００２５】
図２は、リサイクル緑化パネルＰを、傾斜した土木・建築構造物の壁面等７に取り付けた側断面図が示されている。
上記構成からなるリサイクル緑化パネルＰを傾斜した構造物の壁面７に沿って配置し、リサイクル緑化パネルＰを形成する枠部材１，２の水平材１ａ、２ａに設けたボルト挿通孔４からコンクリートボルト８を該構造物の壁面７へ螺入することにより、リサイクル緑化パネルＰが固定される。
このようにして、構造物の壁面７に沿ってリサイクル緑化パネルＰを縦横に設置することにより、土木構造物、建築構造物の表面が緑化される。
また、最上部のリサイクル緑化パネルＰの枠部材１ａ、２ａの上面に給水パイプ（図示せず）を水平に配置することにより、リサイクル緑化パネルＰに対して給水可能な構造にするのが好ましい。
【００２６】
上記実施例では、リサイクル緑化パネルＰは、土木・建築等構造物の壁面７に対し、枠部材１ａ，２ａに設けた挿通孔４からボルト等を螺入することにより固定されるが、他の実施例として、
土木・建築構造物等の壁面７に沿ってアンカープレートを上下方向に配置し、このアンカープレートを、アンカーボルト・ナットを介して傾斜した壁面に所定の間隔で固定して、該アンカープレートの外面に、断面Ｔ字状のフランジ間に取付プレートを設けたパネル取付部材を固定する。
次いで、該パネル取付部材のフランジにリサイクル緑化パネルＰを載置し、リサイクル緑化パネルＰを形成する枠部材と、パネル取付部材の設けた取付プレートをボルト・ナットにより結合することにより、土木構造物、建築構造物の表面が緑化される。
【図面の簡単な説明】
【００２７】
【図１】（ａ）本発明のリサイクル緑化パネルの枠体を分解した斜視図である。            （ｂ）本発明の枠体を示す斜視図である。                                     （ｃ）本発明の網体を示す斜視図である。                                     （ｄ）本発明のリサイクル緑化パネルの断面図である。
【図２】本発明のリサイクル緑化パネルを構造物に取り付けた側断面図ある。
【符号の説明】
【００２８】
Ｐ      リサイクル緑化パネル
１      枠部材
１ａ    水平材  
１ｂ    垂直材  
２      枠部材
２ａ    水平材  
３      網体
４      ボルト挿通孔
５      混合再団粒化した材料
６      鋸歯状の凹凸
７      土木・建築構造物の壁面
８      コンクリート用ボルト
【図１】
2005176682.tif 000003
【図２】
2005176682.tif 000004